(57)【要約】【課題】ロック部の破壊防止を図ると共に、電線径に関わらず電線の方向規制を可能とする。【解決手段】リレーボックス１０の外面に備えられたロック部１１ａをジャンクションボックス２０の外面に備えられた被ロック部２０ａに固定するものであって、ジャンクションボックス２０のリレーボックス１０との対向面に電線ガイド部２０ｅを設け、リレーボックス１０には、ロック部１１ａに隣接し電線ガイド部２０ｅと対向する位置にガイド枠１１ｂを突設している一方、ジャンクションボックス２０にはガイド枠１１ｂとスライド嵌合する被ガイド枠２０ｂを突設し、ジャンクションボックスに接続された電線ｗ２を電線ガイド部２０ｅに沿って配策し、リレーボックス１０のガイド枠１１ａが壁となって電線ｗ２を方向規制している。【選択図】　図２
2004032946.tif 000002
【特許請求の範囲】
【請求項１】
第１の電気接続箱の外面に備えられたロック部を第２の電気接続箱の外面に備えられた被ロック部に固定するものであって、
上記第２の電気接続箱の上記第１の電気接続箱との対向面に電線ガイド部を設け、
上記第１の電気接続箱には、上記ロック部に隣接し上記電線ガイド部と対向する位置にガイド枠を突設している一方、上記第２の電気接続箱には該ガイド枠とスライド嵌合する被ガイド枠を突設し、
上記第２の電気接続箱に接続された電線を上記電線ガイド部に沿って配策し、上記第１の電気接続箱の上記ガイド枠が壁となって上記電線を方向規制していることを特徴とする電気接続箱の固定構造。
【請求項２】
上記ガイド枠は、上記ロック部の両側にそれぞれ第１ガイド枠と第２ガイド枠とを突出して設ける一方、
上記被ガイド枠は、上記被ロック部の両側にそれぞれ第１被ガイド枠と第２被ガイド枠を突出して設け、
上記第１の電気接続箱を上記第２の電気接続箱の外面にスライドさせてロック固定する際、上記第１ガイド枠が第１被ガイド枠にスライド嵌合された後に、上記第２ガイド枠が第２被ガイド枠にスライド嵌合され、最後に上記ロック部が被ロック部にロック固定される構成としている請求項１に記載の電気接続箱の固定構造。
【発明の詳細な説明】
【０００１】
【発明の属する技術分野】
本発明は、電気接続箱の固定構造に関し、詳しくは、自動車に搭載される電気接続箱同士を固定する構造に関するものである。
【０００２】
【従来の技術】
従来、自動車にはリレーボックスやジャンクションボックス等が搭載され、それらボックス同士を互いにロック固定した状態で車両内に搭載している場合がある。
例えば、図３（Ａ）に示すように、リレーボックス１は本体部２の上下をアッパーカバー４とロアカバー３とで閉鎖され、本体部２の外面にロック部２ａを突設している一方、図３（Ｂ）に示すように、ジャンクションボックス５の外面には、上記ロック部２ａと対応する位置に被ロック部５ａを突設し、図４（Ａ）（Ｂ）に示すように、互いにロック固定することで、リレーボックス１をジャンクションボックス５の外面に固定保持させている。
【０００３】
また、ジャンクションボックス５は、その上面にポスト状端子６を突出していると共に、側面に電線ガイド部５ｃを設け、電線ガイド部５ｃの中間位置に押え片５ｂを突出させている。そして、大径の電線ｗ１（ｅｘ．３０ｓｑ）の先端に圧着された端子８をポスト状端子６に嵌合接続し、電線ｗ１を電線ガイド部５ｃに沿って配策し、押え片５ｂで電線ｗ１を保持している。
【０００４】
【発明が解決しようとする課題】
しかしながら、重量のあるリレーボックス１とジャンクションボックス５との固定をロック部２ａと被ロック部５ａとのロックのみで行うことは、ロック箇所に集中的に負荷が掛かってしまう問題がある。
また、ロック部２ａを被ロック部５ａにスライド挿入する際に、位置合わせが正しくないまま無理やり挿入するとロックが壊れてしまう恐れもある。
【０００５】
さらに、図５（Ａ）（Ｂ）に示すように、ジャンクションボックス５が、ポスト状端子６に接続される電線の外径が小径の電線ｗ２（ｅｘ．１５ｓｑ）の場合に共用された場合には、電線ガイド部５ｃの空間は大径の電線ｗ１が挿通できる大きさに広く設定しており、かつ、押え片５ｂも大径の電線ｗ１が挿入し易いように突出量を大きくしていないため、小径の電線ｗ２を方向規制できない問題がある。
【０００６】
本発明は、上記問題に鑑みてなされたもので、ロック部の破壊防止を図ると共に、電線径に関わらず電線の方向規制が可能である構造を提供することを課題としている。
【０００７】
【課題を解決するための手段】
上記課題を解決するため、本発明は、第１の電気接続箱の外面に備えられたロック部を第２の電気接続箱の外面に備えられた被ロック部に固定するものであって、
上記第２の電気接続箱の上記第１の電気接続箱との対向面に電線ガイド部を設け、
上記第１の電気接続箱には、上記ロック部に隣接し上記電線ガイド部と対向する位置にガイド枠を突設している一方、上記第２の電気接続箱には該ガイド枠とスライド嵌合する被ガイド枠を突設し、
上記第２の電気接続箱に接続された電線を上記電線ガイド部に沿って配策し、上記第１の電気接続箱の上記ガイド枠が壁となって上記電線を方向規制していることを特徴とする電気接続箱の固定構造を提供している。
【０００８】
上記構造とすると、上記第１の電気接続箱のロック部に隣接して上記ガイド枠を設け、ガイド枠を上記第２の電気接続箱の被ガイド枠にスライド嵌合しながらロック部を被ロック部にロック固定する構成となっているので、ガイド枠のスライド嵌合により正しい位置に導かれながらロック部が被ロック部に固定され、挿入時のロック部の破壊が防止されると共に、ロック固定後も第１の電気接続箱の重量の保持をロック部のみならずガイド枠でも行うので、ガイド枠がロック部の補強の役目を果たし、ロック部に掛かる負荷を分散することができる。
【０００９】
また、第２の電気接続箱の電線ガイド部に対向するように上記ガイド枠が位置しているので、上記電線に電線ガイド部の広さに対して小径のものを使用した場合でも、対向するガイド枠が壁の役割を果たして電線の配策方向を電線ガイド部に沿って規制することができる。
【００１０】
上記ガイド枠は、上記ロック部の両側にそれぞれ第１ガイド枠と第２ガイド枠とを突出して設ける一方、
上記被ガイド枠は、上記被ロック部の両側にそれぞれ第１被ガイド枠と第２被ガイド枠を突出して設け、
上記第１の電気接続箱を上記第２の電気接続箱の外面にスライドさせてロック固定する際、上記第１ガイド枠が第１被ガイド枠にスライド嵌合された後に、上記第２ガイド枠が第２被ガイド枠にスライド嵌合され、最後に上記ロック部が被ロック部にロック固定される構成としていると好ましい。
【００１１】
上記構成とすると、第１の電気接続箱を第２の電気接続箱に固定する際には、第１ガイド枠が第１被ガイド枠にスライド嵌合される時点で仮位置決めがされ、第２ガイド枠が第２被ガイド枠にスライド嵌合される時点で本位置決めがされ、その後ロック部が被ロック部にロックされる際には、位置ズレも無く確実にロック結合されるので、ロック挿入時のロック部の破壊を防止することができる。
また、第１の電気接続箱が第２の電気接続箱に固定された状態では、第１の電気接続箱の固定は、ロック部、第１ガイド部および第２ガイド部の３点保持となるので、負荷がロック部に集中せずロック部の補強を図ることができる。
【００１２】
【発明の実施の形態】
本発明の実施形態を図面を参照して説明する。
図１（Ａ）はリレーボックス（第１の電気接続箱）１０を示し、リレーボックス１０の本体部１１の外面にロック部１１ａを突設していると共に、その両側に断面Ｌ字状に突設した第１ガイド枠１１ｂと第２ガイド枠１１ｃを設けている。さらに、第１ガイド枠１１ｂの下方には後述する第１被ガイド枠２０ｂを拾い込むための断面凹形状の拾込枠１１ｄを延在させていると共に、本体部１１の外面の所要位置にロック爪１１ｅを突出している。
なお、第１ガイド枠１１ｂの下端は、第２ガイド枠１１ｃの下端よりも下方に位置している。
【００１３】
ロアカバー１２は、本体部１１のロック爪１１ｅに対応する位置に、ロック枠１２ａを突出させている。
ロアカバー１２のロック枠１２ａを本体部１１のロック爪１１ｅにロック結合することで、本体部１１の下方をロアカバー１２で閉鎖すると共に、図示しないロック構造により本体部１１の上方にアッパーカバー１３をロック結合して閉鎖している。
【００１４】
図１（Ｂ）はジャンクションボックス２０（第１の電気接続箱）を示し、その外面には、リレーボックス１０のロック部１１ａと対応する位置に被ロック部２０ａを突設していると共に、被ロック部２０ａの両側には、リレーボックス１０の第１ガイド枠１１ｂと第２ガイド枠１１ｃとに対応する位置に、断面Ｌ字状の第１被ガイド枠２０ｂと第２被ガイド枠２０ｃとを突設している。
なお、被ロック部２０ａの上端は、第１被ガイド部２０ｂおよび第２被ガイド部２０ｃの上端よりも下方に位置している。
【００１５】
また、ジャンクションボックス２０は、図２（Ａ）（Ｂ）に示すように、上面にポスト状端子２１を突出していると共に、ボックスのコーナーに窪み部となる電線ガイド部２０ｅを設け、電線ガイド部２０ｅの上下方向の中間位置で押え片２０ｄを電線ガイド部２０ｅを閉鎖するように略Ｌ字状に突出させている。また、ボックスの所要位置には、車体と固定するブラケット部２０ｆを突出している。
なお、電線ガイド部２０ｅの空間は３０ｓｑの大径の電線ｗ１が収容できる空間領域を設けており、また、押え片２０ｄは電線が挿入し易いように突出量を小さくしている。
【００１６】
リレーボックス１０のジャンクションボックス２０へロック固定は、リレーボックス１０の側面を上方よりジャンクションボックス２０の側面に沿わせてスライドし、リレーボックス１０の拾込枠１１ｄでジャンクションボックス２０の第１被ガイド枠２０ｂを拾い込み、第１ガイド枠１１ｂを第１被ガイド枠２０ｂにスライド嵌合させる。この時点で、リレーボックス１０がジャンクションボックス２０に対して仮位置決めされることとなる。
【００１７】
続いて、リレーボックス１０をスライドさせていくと、第２ガイド枠１１ｃが第２被ガイド枠２０ｃにスライド嵌合され、本位置決めされることとなる。
このように、第１ガイド枠１１ｂと第１被ガイド枠２０ｂ、および、第２ガイド枠１１ｃと第２被ガイド枠２０ｃの２つのガイドにより位置決めされた状態で、さらにリレーボックス１０をスライドさせていくと、ロック部１１ａが被ロック部２０ａに挿入されロック結合される。
【００１８】
ジャンクションボックス２０の上面のポスト状端子２１には、１５ｓｑの小径の電線ｗ２の先端に圧着された端子２２の嵌合穴２２を嵌合すると共に、端子押え部２０ｇにより端子２２をボックス上面に沿わせている。そして、電線ｗ２は、電線ガイド部２０ｅ内の空間に沿って下方に導かれ、押え片２０ｄにより電線ｗ２が外部に出てしまわないように仮保持している。
しかも、ジャンクションボックス２０の電線ガイド部２０ｅに対向するようにガイド枠１１ｂが位置しているので、このように、電線ｗ２が電線ガイド部２０ｅの広さに対して小径のもの（１５ｓｑ）を使用した場合でも、対向するガイド枠１１ｂが壁の役割を果たして電線ｗ２の配策方向を電線ガイド部２０ｅに沿って方向規制することができる。
【００１９】
また、リレーボックス１０のジャンクションボックス２０への固定作業時には、第１ガイド枠１１ｂが第１被ガイド枠２０ｂにスライド嵌合される時点で仮位置決めされ、第２ガイド枠１１ｃが第２被ガイド枠２０ｃにスライド嵌合される時点で本位置決めされるので、ロック部１１ａが正しい位置に導かれながら被ロック部２０ａに確実に固定され、挿入時のロック部１１ａあるいは被ロック部２０ａの破壊が防止される。
【００２０】
さらに、上記ロック固定後も、リレーボックス１０は、被ロック部２０ａ（とロック部１１ａ）、第１被ガイド部２０ｂ（と第１ガイド部１１ｂ）および第２被ガイド部２０ｃ（と第２ガイド部１１ｃ）の３点で保持されるので、負荷がロック箇所に集中せずロック部１１ａおよび被ロック部２０ａの補強を図ることが可能となる。
【００２１】
【発明の効果】
以上の説明より明らかなように、本発明によれば、上記第１の電気接続箱のロック部に隣接して上記ガイド枠を設け、ガイド枠を上記第２の電気接続箱の被ガイド枠にスライド嵌合しながらロック部を被ロック部にロック固定する構成となっているので、ガイド枠のスライド嵌合により正しい位置に導かれながらロック部が被ロック部に固定され、挿入時のロック部の破壊が防止できる。
また、ロック固定後も、第１の電気接続箱の重量の保持をロック部のみならずガイド枠でも行うので、ロック部に掛かる負荷が分散され、ガイド枠がロック部の補強の役目を果たすことができる。
さらに、上記ガイド枠を第２の電気接続箱の電線ガイド部に対向するように位置させているので、上記電線に電線ガイド部の広さに対して小径のものを使用した場合でも、対向するガイド枠が壁の役割を果たして電線の配策方向を電線ガイド部に沿って規制することができる。
【図面の簡単な説明】
【図１】（Ａ）は本発明に係る実施形態のリレーボックス（第１の電気接続箱）の側面図、（Ｂ）はジャンクションボックス（第２の電気接続箱）の側面図である。
【図２】（Ａ）はリレーボックス（第１の電気接続箱）がジャンクションボックス（第２の電気接続箱）に固定された状態を示す上面図、（Ｂ）は側面図である。
【図３】（Ａ）は従来のリレーボックス（第１の電気接続箱）の側面図、（Ｂ）は従来のジャンクションボックス（第２の電気接続箱）の側面図である。
【図４】（Ａ）は従来のリレーボックス（第１の電気接続箱）がジャンクションボックス（第２の電気接続箱）に固定された状態を示す上面図、（Ｂ）は側面図である。
【図５】（Ａ）は問題点を示す上面図、（Ｂ）は側面図である。
【符号の説明】
１０　　　　リレーボックス（第１の電気接続箱）
１１　　　　本体部
１１ａ　　　ロック部
１１ｂ　　　第１ガイド枠
１１ｃ　　　第２ガイド枠
１１ｄ　　　拾込枠
１２　　　　ロアカバー
１３　　　　アッパーカバー
２０　　　　ジャンクションボックス（第２の電気接続箱）
２０ａ　　　被ロック部
２０ｂ　　　第１被ガイド枠
２０ｃ　　　第２被ガイド枠
２０ｄ　　　押え片
２０ｅ　　　電線ガイド部
２１　　　　ポスト状端子
２２　　　　端子
ｗ１　　　　大径の電線
ｗ２　　　　小径の電線
【図１】
2004032946.tif 000003
【図２】
2004032946.tif 000004
【図３】
2004032946.tif 000005
【図４】
2004032946.tif 000006
【図５】
2004032946.tif 000007